(57)【要約】【課題】  キャビネット内における収容性に優れたスプリッタモジュールを提供する。【解決手段】スプリッタモジュール１は、光信号を分岐させる光スプリッタ１４が収容されたモジュール筐体２と、モジュール筐体２に取り付けられた入力側アダプタソケット３及び出力側アダプタソケット４とを備えている。モジュール筐体２には、入力側アダプタソケット３及び出力側アダプタソケット４の並設方向に沿って延びるように形成され、キャビネット５に設けられた枠体部１０の屈曲部分１１が挿入される溝部９と、モジュール筺体２をキャビネット５に着脱可能に固定するマグネット１２ａ，１２ｂとが設けられている。【選択図】  図２
2010134281.tif 000002
【特許請求の範囲】
【請求項１】
キャビネット内に収容され、入力側光ファイバ心線から入射した光信号を分岐させて複数の出力側光ファイバ心線に出射する光スプリッタを有するスプリッタモジュールにおいて、
前記光スプリッタを収容するモジュール筐体と、
前記モジュール筺体を前記キャビネットに着脱可能に固定する固定手段と、を備え、
前記モジュール筺体には、前記キャビネットに設けられた枠体部が挿入される凹部が設けられていることを特徴とするスプリッタモジュール。
【請求項２】
前記固定手段は、前記枠体部に対して着脱可能なマグネットであることを特徴とする請求項１記載のスプリッタモジュール。
【請求項３】
前記モジュール筺体に取り付けられ、前記複数の出力側光ファイバ心線と接続される複数の出力側光ソケットと、
前記モジュール筺体に取り付けられ、前記入力側光ファイバ心線と接続される入力側光ソケットと、を更に備え、
前記複数の出力側光ソケット及び前記入力側光ソケットは、前記モジュール筺体の一側面に並設して設けられており、
前記溝部は、前記複数の出力側光ソケット及び前記入力側光ソケットの並設方向に沿って延びるように設けられていることを特徴とする請求項１又は２記載のスプリッタモジュール。
【発明の詳細な説明】
【技術分野】
【０００１】
本発明は、光信号を分岐させる光スプリッタを有するスプリッタモジュールに関するものである。
【背景技術】
【０００２】
スプリッタモジュールは、例えば集合住宅等に設置された配線盤内に収容され、架空から引き落とされた光ケーブルにより送られてきた光信号を分岐させて各家庭に伝送するものである。このようなスプリッタモジュールとしては、例えば特許文献１に記載されているように、光ケーブルを分岐して受ける心線受部と、この心線受部で分岐された複数の光ファイバ心線を各光ソケットに接続するコネクタ収納部とを備えた箱形状のスプリッタモジュールが知られている。
【特許文献１】特開２００７―１２１３９８号公報
【発明の開示】
【発明が解決しようとする課題】
【０００３】
上記従来技術のようなスプリッタモジュールは、既築の建物内の配線盤用キャビネット（以下、単にキャビネット）内に備え付けられることが多い。この場合、キャビネット内には既に他の機器やケーブル等が収容されているため、スプリッタモジュールの収容スペースの確保が困難である。
【０００４】
本発明の目的は、キャビネット内における収容性に優れたスプリッタモジュールを提供することである。
【課題を解決するための手段】
【０００５】
本発明は、キャビネット内に収容され、入力側光ファイバ心線から入射した光信号を分岐させて複数の出力側光ファイバ心線に出射する光スプリッタを有するスプリッタモジュールにおいて、光スプリッタを収容するモジュール筐体と、モジュール筺体をキャビネットに着脱可能に固定する固定手段と、を備え、モジュール筺体には、キャビネットに設けられた枠体部が挿入される凹部が設けられていることを特徴とするものである。
【０００６】
スプリッタモジュールが収容されるキャビネットには、例えば先端部が内側に屈曲する屈曲部分を有する枠体部が形成されている。このような枠体部の裏面側部分等は、機器やケーブル等の収容におけるデッドスペースとなっている。そこで、本発明のスプリッタモジュールにおいては、キャビネットの枠体部が挿入される凹部をモジュール筺体に設けることにより、スプリッタモジュールを枠体部に固定することができる。これにより、キャビネット内のデッドスペースとなる枠体部の裏面側部分等を有効に活用することができる。従って、キャビネット内におけるスプリッタモジュールの収容性を優れたものとすることができる。
【０００７】
また、固定手段は、枠体部に対して着脱可能なマグネットであることが好ましい。このように、マグネットを固定手段とすることにより、キャビネットにスプリッタモジュールを容易に且つ強固に固定できると共に、スプリッタモジュールの容易な着脱が可能となる。
【０００８】
また、モジュール筺体に取り付けられ、複数の出力側光ファイバ心線と接続される複数の出力側光ソケットと、モジュール筺体に取り付けられ、入力側光ファイバ心線と接続される入力側光ソケットと、を更に備え、複数の出力側光ソケット及び入力側光ソケットは、モジュール筺体の一側面に並設して設けられており、溝部は、複数の出力側光ソケット及び入力側光ソケットの並設方向に沿って延びるように設けられていることが好ましい。この場合には、例えばスプリッタモジュールをキャビネットの上側の枠体部に固定する場合に、各ソケットが下側を向くようにスプリッタモジュールを取り付けることができる。これにより、光コードに装着された光コネクタプラグの出力側光ソケット及び入力側光ソケットへの抜き差しを容易に行うことができる。
【発明の効果】
【０００９】
本発明によれば、キャビネット内におけるスプリッタモジュールの収容性を優れたものとすることができる。これにより、無理な光コードの取り回しや曲げを回避でき、光コードの信頼性の低下を回避することが可能となる。
【発明を実施するための最良の形態】
【００１０】
以下、本発明に係るスプリッタモジュールの好適な実施形態について図面を参照して詳細に説明する。
【００１１】
図１は、本発明に係るスプリッタモジュールの一実施形態の外観を示す斜視図である。図１において、本実施形態のスプリッタモジュール１は、モジュール筺体２と、このモジュール筺体２に取り付けられた入力側アダプタソケット３及び複数の出力側アダプタソケット４とを備えている。このスプリッタモジュール１は、図２（ａ），（ｂ）に示すように、配線盤用のキャビネット５に設けられた枠体部１０に固定されることによりキャビネット５内に収容されるものである。
【００１２】
モジュール筺体２は、略直方体状を成しており、上面部６と側壁部７とが一体成形されたカバー部８を有している。このカバー部８には、上面部６に開口する溝部（凹部）９が設けられている。溝部９は、図２に示す枠体部１０の屈曲部分１１が挿入される部分であり、カバー部８の一端側（後端側）において長手方向（幅方向）に沿って延びるように形成されている。溝部９の幅寸法は、挿入される屈曲部分１１の板厚と略同等となっており、溝部９の深さは、屈曲部分１１の突出長よりも深くなっている（図４参照）。なお、屈曲部分１１とは、図２に示すように、キャビネット５に設けられた枠体部１０の先端部において、キャビネット５の内側に屈曲（突出）する部分である。
【００１３】
また、モジュール筺体２のカバー部８には、当該モジュール筺体２を枠体部１０（キャビネット５）に着脱可能に固定するマグネット１２ａ，１２ｂが複数（ここでは２つ）取り付けられている。マグネット１２ａ，１２ｂは、カバー部８の溝部９側の一端部に形成された２つの凹部１３ａ，１３ｂに配置され、カバー部８の表面と面一になるように取り付けられている。このマグネット１２ａ，１２ｂにより、キャビネット５にスプリッタモジュール１を容易に且つ強固に固定できると共に、スプリッタモジュール１の容易な着脱が可能となっている。
【００１４】
モジュール筺体２の内部には、光信号を複数（ここでは８つ）に分岐させる光スプリッタ１４（以下、図４参照）が収容されている。光スプリッタ１４の一端には、入力側光ファイバ心線１５が接続され、光スプリッタ１４の他端には、複数本（ここでは８本）の出力側光ファイバ心線１６が接続されている。これにより、入力側光ファイバ心線１５から入力した光信号は、光スプリッタ１４により分岐されて各出力側光ファイバ心線１６に出射されるようになる。
【００１５】
各出力側光ファイバ心線１６の先端部には、出力側コネクタプラグ１７が装着され、これらの出力側コネクタプラグ１７は、出力側アダプタソケット４にそれぞれ接続されている。入力側光ファイバ心線１５の先端部には、同様に、図示しない入力側コネクタプラグが装着され、この入力側コネクタプラグは、入力側アダプタソケット３に接続されている。
【００１６】
図１に戻って、入力側アダプタソケット３は、モジュール筺体２の一側（図示前端側）部分に取り付けられている。入力側アダプタソケット３は、光ファイバ心線の端部に装着された入力側光コネクタプラグ（図示しない）と嵌合する入力側ソケット部３ａを有し、光ファイバ心線同士を接続するコネクタ部品である。入力側アダプタソケット３としては、例えばＳＣ型アダプタソケットが用いられる。
【００１７】
出力側アダプタソケット４は、入力側アダプタソケット３と同じ一側（図示前端側）部分に取り付けられている。出力側アダプタソケット４は、光ファイバ心線の端部に装着された出力側光コネクタプラグ（図示しない）と嵌合する８連の出力側ソケット部４ａを有している。出力側アダプタソケット４は、出力側ソケット部４ａが横に８連となるように取り付けられている。出力側アダプタソケット４としては、入力側アダプタソケット３と同様に例えばＳＣ型アダプタソケットが用いられる。
【００１８】
以上のように入力側アダプタソケット３及び出力側アダプタソケット４をモジュール筺体２に取り付けることにより、入力側ソケット部３ａ及び出力側ソケット部４ａは、モジュール筺体２の一側部分に横一列に並設して設けられることになる。これにより、モジュール筺体２の厚さ（高さ）は、入力側アダプタソケット３及び出力側アダプタソケット４の高さと略同等となっている。
【００１９】
また、上記のような構成により、溝部９は、カバー部８において入力側アダプタソケット３及び出力側アダプタソケット４の並設方向に沿って延びるように設けられることになる。
【００２０】
続いて、キャビネット５へのスプリッタモジュール１の取り付けについて図２（ａ），（ｂ）を参照しながら説明する。図２（ａ），（ｂ）は、スプリッタモジュール１がキャビネット５に取り付けられる一例を示す斜視図である。なお、同図に示すキャビネット５は、内部に機器やケーブル等を収容するための空間を有し、ボディ（枠体部１０等を含む）や扉が磁性体の金属板によって形成されているものである。
【００２１】
図２（ａ）に示すように、スプリッタモジュール１のマグネット１２ａ，１２ｂが枠体部１０の裏面部分に位置し、枠体部１０の屈曲部分１１が溝部９に挿入されるように、キャビネット５の内側からスプリッタモジュール１を取り付ける。このとき、入力側アダプタソケット３及び出力側アダプタソケット４は、光コネクタプラグの挿入口が枠体部１０とは反対側を向くようにする。そして、図２（ｂ）に示すように、枠体部１０の屈曲部分１１がスプリッタモジュール１の溝部９に挿入された状態で、マグネット１２ａ，１２ｂによりキャビネット５の枠体部１０にスプリッタモジュール１が引き寄せられて固定される。
【００２２】
図３及び図４は、スプリッタモジュール１がキャビネット５に取り付けられた状態を示す断面図である。各図に示すように、スプリッタモジュール１は、溝部９に屈曲部分１１が挿入されると共に、マグネット１２ａ，１２ｂが枠体部１０の裏面１８にくっつくことにより、キャビネット５に固定されている。ここで、上述のように溝部９の幅寸法が屈曲部分１１の板厚と略同等であると共に、溝部９の深さが屈曲部分１１の突出長よりも深くなっている。これにより、溝部９内において屈曲部分１１がガタつくことを防止できると共に、マグネット１２ａ，１２ｂを裏面１８に当接させることができ、スプリッタモジュール１をキャビネット５に対してズレることなく強固に固定できる。
【００２３】
以上のように構成されたスプリッタモジュール１は、集合住宅等の建物内の壁に設置されたキャビネット５に備え付けられる。具体的には、例えばキャビネット５の所定のスペースにスプリッタモジュール１を取り付け、入力側光コードを入力側アダプタソケット３の入力側ソケット部３ａにコネクタ接続し、複数本の出力側光コードを出力側アダプタソケット４の各出力側ソケット部４ａにそれぞれコネクタ接続する。
【００２４】
このとき、キャビネット５内に他の機器やケーブル等が数多く収容されている場合には、スプリッタモジュール１を取り付けるための収容スペースの確保が難しく、これに伴ってスプリッタモジュール１の取り扱いや光コードの取り回し（配線）が困難になることがある。
【００２５】
しかし、本実施形態のスプリッタモジュール１では、キャビネット５の枠体部１０の屈曲部分１１が挿入される溝部９がモジュール筺体２に設けられている。このような構成とすることで、キャビネット５において機器やケーブル等の収容におけるデッドスペースとなっていた枠体部１０の裏面側部分にスプリッタモジュール１を固定することができる。これにより、キャビネット５内のデッドスペースとなる枠体部１０の裏面側部分を、スプリッタモジュール１の固定位置として有効に活用することができる。従って、キャビネット５内におけるスプリッタモジュール１の収容性を優れたものとすることができる。
【００２６】
また、上記の溝部９が入力側アダプタソケット３及び出力側アダプタソケット４の並設方向に沿って延びるようにカバー部８に設けられているので、例えばスプリッタモジュール１をキャビネット５の上側の枠体部１０に固定する場合に、光コードに装着された光コネクタプラグが挿入される各ソケット３，４が下側を向くようにスプリッタモジュール１をキャビネット５に取り付けることができる。これにより、光コネクタプラグの入力側アダプタソケット３及び出力側アダプタソケット４への抜き差しを容易に行うことができる。
【００２７】
また、入力側アダプタソケット３及び出力側アダプタソケット４を並設してモジュール筺体２の一側部分に取り付けることにより、スプリッタモジュール１の厚さを薄くすることができる。これにより、キャビネット５の枠体部１０にスプリッタモジュール１を固定した場合であっても、スプリッタモジュール１が扉側に突出して扉と干渉することを回避できる。
【００２８】
なお、本発明は、上記実施形態に限定されるものではない。例えば、上記実施形態では、モジュール筺体２の溝部９を入力側アダプタソケット３及び出力側アダプタソケット４の並設方向に沿って延びるように１つ設けたが、溝部９が設けられる位置及び数は限定されない。例えば、溝部９は、モジュール筺体２の前後方向（各ソケット部３ａ，４ａの並設方向に直交する方向）に沿って更に設けられてもよい。この場合には、スプリッタモジュール１をキャビネット５の角部に取り付けることができる。
【００２９】
また、上記実施形態では、溝部９の幅を枠体部１０の屈曲部分１１の板厚と略同等としているが、溝部９の幅は屈曲部分１１の形状に合わせて適宜変更されもよい。具体的には、図５を参照しながら説明する。図中、上記実施形態と同一または同等の部材には同じ符号を付してある。例えば屈曲部分１１が図５（ａ）に示すように鋭角となるような形状に屈曲している場合には、溝部９の幅を広くしてもよい。また、例えば屈曲部分１１の形状が図５（ｂ），（ｃ）に示すようにＬ字状や略Ｕ字状である場合には、溝部９の幅を広くすると共に、溝部９の側壁にマグネット１２ｃを更に取り付けてもよい。これにより、スプリッタモジュール１をより強固にキャビネット５に固定することができ、スプリッタモジュール１のズレを防止できる。
【００３０】
また、上記実施形態では、モジュール筐体２をキャビネット５に着脱自在に固定する固定手段としてマグネット１２ａ，１２ｂを採用しているが、固定手段は例えば面ファスナー（マジックテープ：登録商標）や両面テープ等であってもよい。
【００３１】
［変形例］
続いて、本発明の変形例に係るスプリッタモジュールについて説明する。図６〜図８は、変形例に係るスプリッタモジュールの外観を示す斜視図である。各図において、スプリッタモジュール１Ａは、下部筐体２０と、この下部筐体２０上に配置された上部筺体２１とを備えている。なお、図８は、説明の便宜上、上下を反転して示している。また、図中、上記実施形態と同一または同等の部材には同じ符号を付してある。
【００３２】
下部筺体２０は、略直方体状を成しており、前端側部分に４連の出力側アダプタソケット２２及び入力側アダプタソケット２３が取り付けられている。下部筺体２０は、側壁部２４と下面部２５とが一体形成されたベース部２６と、上面部２７とを有している。ベース部２６は、図８に示すように、一端側（以下、後端側）が開放されている。側壁部２４における開放された部分の左右両側には、スリット部（凹部）２８が設けられている。スリット部２８は、上記実施形態と同様に、図２に示す枠体部１０の屈曲部分１１が挿入される部分である。また、側壁部２４には、スリット部２８よりも後端側において前後方向に沿うように複数（ここでは２つ）の貫通孔２９が設けられている。
【００３３】
また、下部筺体２０には、マグネット１２ａ，１２ｂを固定保持するためのマグネット保持部３０が設けられている。このマグネット保持部３０は、ベース部２６に上下方向に回動可能に取り付けられている。具体的には、マグネット保持部３０の側壁部３１における左右両側には、突部３２が２つずつ設けられている。そして、一方（後端側）の突部３２がベース部２６の貫通孔２９に嵌合することで、マグネット保持部３０が突部３２を中心としてベース部２６に対して上下方向に回動可能となる。また、両方の突部３２がベース部２６の貫通孔２９に嵌合することで、マグネット１２ａ，１２ｂが下面部２５の表面と面一となるように、マグネット保持部３０がベース部２６に固定される。
【００３４】
ここで、マグネット保持部３０では、マグネット１２ａ，１２ｂを配置するための配置部３３ａ，３３ｂが貫通する構造を有している。そして、マグネット１２ａ，１２ｂは、中央部分が貫通する構造を有している。このような構成により、例えばキャビネット５の枠体部１０が木枠等であり、屈曲部分１１を有さない構造である場合であっても、スプリッタモジュール１Ａをキャビネット５にマグネット１２ａ，１２ｂを介してネジ止めすることが可能となる。
【００３５】
上面部２７の後端側部分には、上部筺体２１を下部筺体２０に対して上下方向に回動可能に連結するための突出壁３４が両側に設けられている。この突出壁３４には、貫通孔３５が形成されている。
【００３６】
上部筺体２１は、略直方体状を成しており、前端側部分に４連の出力側アダプタソケット３６が取り付けられている。上部筺体２１は、下部筺体２０に上下方向に回動可能に取り付けられている。具体的には、上部筺体２１の側壁部３７の後端側部分に設けられた突部３８が下部筺体２０の突出壁３４の貫通孔３５に嵌合することで、上部筺体２１が突部３８を中心として下部筺体２０に対して上下方向に回動可能となる。
【００３７】
これにより、図７に示すように、上部筺体２１に取り付けられた出力側アダプタソケット３６の各ソケット部３６ａのプラグ受け口を下部筺体２０に対して図示上方に向けることが可能となる。
【００３８】
以上のように変形例のスプリッタモジュール１Ａにあっては、キャビネット５の枠体部１０の屈曲部分１１が挿入されるスリット部２８が下部筺体２０に設けられている。このような構成とすることで、キャビネット５において機器やケーブル等の収容におけるデッドスペースとなっていた枠体部１０の裏面側部分にスプリッタモジュール１Ａを固定することができる。これにより、キャビネット５内のデッドスペースとなる枠体部１０の裏面側部分を、スプリッタモジュール１Ａの固定位置として有効に活用することができる。従って、キャビネット５内におけるスプリッタモジュール１Ａの収容性を優れたものとすることができる。
【００３９】
また、マグネット１２ａ，１２ｂの中央部分を貫通させることで、例えば枠体部１０が木枠である場合に、スプリッタモジュール１Ａをキャビネット５に対してネジ止めにより固定することができる。このとき、マグネット１２ａ，１２ｂが固定保持されるマグネット保持部３０は、ベース部２６に対して上下方向に回動可能な構成となっている。これにより、ネジ止めする際にマグネット保持部３０を回動させることで、ネジ止めの作業を良好なものとすることができる。
【００４０】
また、上部筺体２１を下部筺体２０に対して上下方向に回動可能とすることにより、光コードの先端部に取り付けられた光コネクタプラグを入力側アダプタソケット２３及び出力側アダプタソケット２２，３６に対して挿入・抜去し易くなる。
【００４１】
なお、マグネット１２ａ，１２ｂを固定保持するマグネット保持部３０が下部筺体２０に対して回動可能とする構成は、もちろん上記実施形態のスプリッタモジュール１に適用することができる。
【図面の簡単な説明】
【００４２】
【図１】本発明に係るスプリッタモジュールの一実施形態の外観を示す斜視図である。
【図２】図１に示したスプリッタモジュールがキャビネットに取り付けられる一例を示す斜視図である。
【図３】図２（ｂ）におけるＩＩＩ−ＩＩＩ線断面斜視図である。
【図４】図２（ｂ）におけるＩＶ−ＩＶ線断面図である。
【図５】図４に示したスプリッタモジュールの変形例の要部拡大図である。
【図６】変形例に係るスプリッタモジュールの外観を示す斜視図である。
【図７】図６に示したスプリッタモジュールの上部筐体が回動する状態を示した斜視図である。
【図８】図６に示したスプリッタモジュールのマグネット保持部が回動する状態を示した斜視図である。
【符号の説明】
【００４３】
１…スプリッタモジュール、２…モジュール筺体、３，２３…入力側アダプタソケット（入力側光ソケット）、４，２２，３６…出力側アダプタソケット（出力側光ソケット）、５…キャビネット、９…溝部（凹部）、１０…枠体部、１２ａ，１２ｂ…マグネット（固定手段）、１４…光スプリッタ、１５…入力側光ファイバ心線、１６…出力側光ファイバ心線、２０…下部筺体（モジュール筐体）、２１…上部筺体（モジュール筐体）、２８…スリット部（凹部）。
【図１】
2010134281.tif 000003
【図２】
2010134281.tif 000004
【図３】
2010134281.tif 000005
【図４】
2010134281.tif 000006
【図５】
2010134281.tif 000007
【図６】
2010134281.tif 000008
【図７】
2010134281.tif 000009
【図８】
2010134281.tif 000010